(57)【要約】【課題】センサを有するシートが様々な場所に設置されている環境下において、シートに着座する着座者に、他のシートで得られた情報を利用させることを目的とする。【解決手段】シートシステム１は、第１シート本体に座っている着座者の身体状態を検出するための第１情報を取得する第１センサを有する第１シート（チャイルドシート２）と、第２シート本体に座っている着座者の身体状態を検出するための第２情報を取得する第２センサを有する第２シート（カート付属椅子３）と、第１シートおよび第２シートと通信可能であり、第１情報に基づいて着座者の身体状態の評価値である第１評価値を算出可能であるとともに、第２情報に基づいて着座者の身体状態の評価値である第２評価値を算出可能な携帯端末（スマートフォンＳＰ）と、第１評価値と第２評価値とを統合したデータとして蓄積するデータ蓄積部１４０を備える。【選択図】図３
2020083213.tif 000002
【特許請求の範囲】
【請求項１】
第１シート本体、および、前記第１シート本体に設けられ、前記第１シート本体に座っている着座者の身体状態を検出するための第１情報を取得する第１センサを有する第１シートと、
第２シート本体、および、前記第２シート本体に設けられ、前記第２シート本体に座っている着座者の身体状態を検出するための第２情報を取得する第２センサを有する第２シートと、
前記第１シートおよび前記第２シートと通信可能であり、前記第１情報に基づいて前記着座者の身体状態の評価値である第１評価値を算出可能であるとともに、前記第２情報に基づいて前記着座者の身体状態の評価値である第２評価値を算出可能な携帯端末と、
前記第１評価値と前記第２評価値とを統合したデータとして蓄積するデータ蓄積部と、を備えたことを特徴とするシートシステム。
【請求項２】
前記携帯端末は、前記データ蓄積部を有することを特徴とする請求項１に記載のシートシステム。
【請求項３】
前記携帯端末と通信可能なサーバをさらに備え、
前記サーバは、前記データ蓄積部を有することを特徴とする請求項１に記載のシートシステム。
【請求項４】
前記携帯端末は、
前記サーバで統合したデータを前記サーバから取得可能であり、
前記サーバから取得した前記データを、前記着座者に報知することを特徴とする請求項３に記載のシートシステム。
【請求項５】
前記第１センサおよび前記第２センサは、圧力センサであり、
前記携帯端末は、前記第１情報としての第１圧力値に基づいて前記着座者の運動量を前記第１評価値として算出可能であり、前記第２情報としての第２圧力値に基づいて前記着座者の運動量を前記第２評価値として算出可能であることを特徴とする請求項１から請求項３のいずれか１項に記載のシートシステム。
【発明の詳細な説明】
【技術分野】
【０００１】
本発明は、センサを有するシートを備えたシートシステムに関する。
【背景技術】
【０００２】
従来、乗員の着座姿勢を検出するために、シート上に複数の圧力センサを配置した車両用シートが知られている（特許文献１）。
【先行技術文献】
【特許文献】
【０００３】
【特許文献１】特開２０１７−６５５０４号公報
【発明の概要】
【発明が解決しようとする課題】
【０００４】
しかし、従来の車両用シートは、運転者の着座姿勢を評価して提示するだけであるので、あまり有効に利用できないという問題がある。
【０００５】
そこで、本発明は、シートの新たな価値を提案するべく、センサを有するシートが様々な場所に設置されている環境下において、シートに着座する着座者が、他のシートで得られた情報を利用することが可能なシートシステムを提供することを目的とする。
【課題を解決するための手段】
【０００６】
前記した課題を解決するため、本発明に係るシートシステムは、第１シート本体、および、前記第１シート本体に設けられ、前記第１シート本体に座っている着座者の身体状態を検出するための第１情報を取得する第１センサを有する第１シートと、第２シート本体、および、前記第２シート本体に設けられ、前記第２シート本体に座っている着座者の身体状態を検出するための第２情報を取得する第２センサを有する第２シートと、前記第１シートおよび前記第２シートと通信可能であり、前記第１情報に基づいて前記着座者の身体状態の評価値である第１評価値を算出可能であるとともに、前記第２情報に基づいて前記着座者の身体状態の評価値である第２評価値を算出可能な携帯端末と、前記第１評価値と前記第２評価値とを統合したデータとして蓄積するデータ蓄積部と、を備える。
【０００７】
この構成によれば、第１シートに着座者が座っている状況では、着座者は、携帯端末によって、第１シートから第１情報を取得し、第１情報から第１評価値を算出することができる。また、第２シートに着座者が座っている状況では、着座者は、携帯端末によって、第２シートから第２情報を取得し、第２情報から第２評価値を算出することができる。そして、携帯端末で算出された第１評価値および第２評価値は、データ蓄積部によって、統合したデータとして蓄積される。そのため、センサを有するシートが様々な場所に設置されている環境下において、所定のシートに着座する着座者は、他のシートで得られた情報を利用することができる。
【０００８】
また、前記携帯端末は、前記データ蓄積部を有していてもよい。
【０００９】
これによれば、データ蓄積部を有するサーバが不要となるので、シートシステムの構成を簡易化することができる。
【００１０】
また、前記シートシステムは、前記携帯端末と通信可能なサーバをさらに備え、前記サーバは、前記データ蓄積部を有していてもよい。
【００１１】
これによれば、携帯端末にデータ蓄積部を設ける必要がないので、携帯端末の記憶容量を節約することができる。
【００１２】
また、前記携帯端末は、前記サーバで統合したデータを前記サーバから取得可能であり、前記サーバから取得した前記データを、前記着座者に報知してもよい。
【００１３】
これによれば、サーバで統合したデータを携帯端末を介して着座者に報知するので、着座者がデータを有効活用することができる。
【００１４】
また、前記第１センサおよび前記第２センサは、圧力センサであり、前記携帯端末は、前記第１情報としての第１圧力値に基づいて前記着座者の運動量を前記第１評価値として算出可能であり、前記第２情報としての第２圧力値に基づいて前記着座者の運動量を前記第２評価値として算出可能であってもよい。
【００１５】
これによれば、着座者の運動量を評価値とするので、着座者が統合した運動量を参照することができ、着座者自身の身体状態を把握することができる。
【発明の効果】
【００１６】
請求項１に記載の構成によれば、センサを有するシートが様々な場所に設置されている環境下において、所定のシートに着座する着座者が、他のシートで得られた情報を利用することができる。
【００１７】
また、携帯端末がデータ蓄積部を有する場合には、サーバが不要となるので、シートシステムの構成を簡易化することができる。
【００１８】
また、サーバがデータ蓄積部を有する場合には、携帯端末にデータ蓄積部を設ける必要がないので、携帯端末の記憶容量を節約することができる。
【００１９】
また、サーバで統合したデータを携帯端末を介して着座者に報知することで、着座者がデータを有効活用することができる。
【００２０】
また、着座者の運動量を評価値とすることで、着座者が統合した運動量を参照することができるので、着座者自身の身体状態を把握することができる。
【図面の簡単な説明】
【００２１】
【図１】一実施形態に係るシートシステムを示す図である。
【図２】シートシステムの構成を説明する図である。
【図３】携帯端末の構成を説明するブロック図である。
【図４】１００ｍ走ゲームで取得する圧力の変化を示すグラフである。
【図５】スマートフォンでの処理を示すフローチャートである。
【図６】シート用アプリのスタート画面を示す図である。
【図７】トータルの歩数を表示する画面を示す図である。
【図８】第１変形例に係るシートシステムを示す図である。
【図９】第１変形例に係るシートシステムの構成を説明するブロック図である。
【図１０】第１変形例に係るスマートフォンでの処理を示すフローチャートである。
【図１１】第１変形例に係るサーバでの処理を示すフローチャートである。
【図１２】第２変形例に係るスマートフォンでの処理を示すフローチャートである。
【図１３】第２変形例において１００走ゲームを提示する場合のスタート画面を示す図である。
【図１４】第２変形例において休憩を提示する場合のスタート画面を示す図である。
【図１５】第３変形例に係るスマートフォンでの処理を示すフローチャートである。
【図１６】第３変形例において今回の体重と体重の履歴を表示する画面を示す図である。
【図１７】第３変形例においてホーム画面上で測定した体重を通知している状態を示す図である。
【発明を実施するための形態】
【００２２】
以下、図面を参照しながら、本発明の一実施形態について説明する。
図１に示すように、シートシステム１は、第１シートの一例としてのチャイルドシート２と、第２シートの一例としてのカート付属椅子３と、携帯端末の一例としてのスマートフォンＳＰと、を備えている。
【００２３】
チャイルドシート２は、車両ＣＲに設置される車両用シートＳに取り付けられる子供用のシートである。カート付属椅子３は、スーパーマーケットやホームセンターなどに常備されているショッピングカートＳＨＣに設けられる子供用のシートである。なお、本発明において、前後、左右、上下は、チャイルドシート２またはカート付属椅子３に座る着座者Ｐを基準とする。
【００２４】
図２に示すように、チャイルドシート２は、第１シート本体２０と、第１制御装置２００とからなる。第１シート本体２０は、シートクッション２１およびシートバック２２を有する。シートクッション２１およびシートバック２２は、クッションパッドと、クッションパッドを被覆する表皮とを備えている。クッションパッドは、ウレタンフォームなどからなり、図示せぬフレームによって支持されている。表皮は、布地などからなっている。
【００２５】
シートクッション２１には、表皮の下に複数の圧力センサＰＳ１〜ＰＳ３が設けられている。圧力センサＰＳ１〜ＰＳ３は、第１センサの一例であり、第１シート本体２０に座っている着座者Ｐの身体状態、詳しくは動作を検出するための第１情報である測定値を取得する。圧力センサＰＳ１〜ＰＳ６は、第１シート本体２０に着座する着座者Ｐに対向する座面の状態を検知可能に配置され、第１シート本体２０に座っている着座者Ｐからの圧力値を取得する。
【００２６】
各圧力センサＰＳ１〜ＰＳ３は、チャイルドシート２の左右の中心に対して左右対称に１対ずつ設けられている。
具体的には、圧力センサＰＳ１および圧力センサＰＳ２は、シートクッション２１における着座者Ｐの臀部に対応する位置に配置されている。圧力センサＰＳ１および圧力センサＰＳ２は、着座者Ｐの臀部からの圧力を測定する第１クッションセンサＳＣ１を構成している。圧力センサＰＳ２は、圧力センサＰＳ１の前に配置されている。なお、第１クッションセンサＳＣ１は、圧力センサＰＳ１および圧力センサＰＳ２のいずれか一方のみを備えていてもよい。
【００２７】
圧力センサＰＳ３は、着座者Ｐの大腿の下に位置している。圧力センサＰＳ３は、着座者Ｐの大腿からの圧力値を測定する第２クッションセンサＳＣ２を構成している。圧力センサＰＳ３は、圧力センサＰＳ２の前に配置されている。
【００２８】
なお、圧力センサＰＳ１〜ＰＳ３は、例えば、外部からの圧力によって電気抵抗が変化する素子であり、圧力値が大きい程、検出信号の電圧が高くなる（もしくは低くなる）。
【００２９】
第１制御装置２００は、各圧力センサＰＳ１〜ＰＳ３から、圧力値を取得可能に圧力センサＰＳ１〜ＰＳ３と接続されている。第１制御装置２００は、各圧力センサＰＳ１〜ＰＳ３で検出した情報を、スマートフォンＳＰに送信可能となっている。
【００３０】
詳しくは、第１制御装置２００には、ブルートゥース（登録商標）またはＷｉ−Ｆｉ（登録商標）などの近距離無線通信を可能にする近距離通信機２１０が接続されている。第１制御装置２００は、近距離通信機２１０を介してスマートフォンＳＰと通信可能となっている。
【００３１】
カート付属椅子３は、第２シート本体３０と、第２制御装置３００とからなる。第２シート本体３０は、シートクッション３１およびシートバック３２を有する。シートクッション３１およびシートバック３２は、樹脂からなる。
【００３２】
シートクッション３１には、複数の圧力センサＰＳ４〜ＰＳ６が設けられている。圧力センサＰＳ４〜ＰＳ６は、第２センサの一例であり、第２シート本体３０に座っている着座者Ｐの身体状態、詳しくは動作を検出するための第２情報である測定値を取得する。圧力センサＰＳ４〜ＰＳ６は、第２シート本体３０に座っている着座者Ｐからの圧力値を取得する。
【００３３】
各圧力センサＰＳ４〜ＰＳ６は、カート付属椅子３の左右の中心に対して左右対称に１対ずつ設けられている。
具体的には、圧力センサＰＳ４および圧力センサＰＳ５は、シートクッション３１における着座者Ｐの臀部に対応する位置に配置されている。圧力センサＰＳ４および圧力センサＰＳ５は、着座者Ｐの臀部からの圧力を測定する第３クッションセンサＳＣ３を構成している。圧力センサＰＳ５は、圧力センサＰＳ４の前に配置されている。なお、第３クッションセンサＳＣ３は、圧力センサＰＳ４および圧力センサＰＳ５のいずれか一方のみを備えていてもよい。
【００３４】
圧力センサＰＳ６は、着座者Ｐの大腿の下に位置している。圧力センサＰＳ６は、着座者Ｐの大腿からの圧力値を測定する第４クッションセンサＳＣ４を構成している。圧力センサＰＳ６は、圧力センサＰＳ５の前に配置されている。
【００３５】
なお、圧力センサＰＳ４〜ＰＳ６は、例えば、外部からの圧力によって電気抵抗が変化する素子であり、圧力値が大きい程、検出信号の電圧が高くなる（もしくは低くなる）。
【００３６】
第２制御装置３００は、各圧力センサＰＳ４〜ＰＳ６から、圧力値を取得可能に圧力センサＰＳ１〜ＰＳ３と接続されている。第２制御装置３００は、各圧力センサＰＳ４〜ＰＳ６で検出した情報を、スマートフォンＳＰに送信可能となっている。
【００３７】
詳しくは、第２制御装置３００には、ブルートゥース（登録商標）またはＷｉ−Ｆｉ（登録商標）などの近距離無線通信を可能にする近距離通信機３１０が接続されている。第２制御装置３００は、近距離通信機３１０を介してスマートフォンＳＰと通信可能となっている。
【００３８】
第１制御装置２００、第２制御装置３００およびスマートフォンＳＰは、図示しないＣＰＵ、ＲＯＭ、ＲＡＭ、書換可能な不揮発性メモリ等を有し、予め記憶されたプログラムを実行する。なお、スマートフォンＳＰは、ディスプレイＤＳＰをさらに備えている。
【００３９】
スマートフォンＳＰは、チャイルドシート２およびカート付属椅子３と通信可能となっている。詳しくは、スマートフォンＳＰは、圧力センサＰＳ１〜ＰＳ３から第１制御装置２００を介して圧力値を取得するとともに、圧力センサＰＳ４〜ＰＳ６から第２制御装置３００を介して圧力値を取得する機能を有している。スマートフォンＳＰには、チャイルドシート２およびカート付属椅子３から送信されてくる信号（圧力値）に基づいて実行可能なゲームを着座者Ｐに提供するためのシート用アプリがインストールされている。
【００４０】
本実施形態に係るシート用アプリでは、１００ｍ走ゲームを着座者Ｐに提供することが可能となっている。１００ｍ走ゲームは、チャイルドシート２またはカート付属椅子３から送信されてくる圧力値に基づいて、ディスプレイＤＳＰ上に表示されたキャラクタを走らせるゲームである。
【００４１】
図３に示すように、スマートフォンＳＰは、動作検出部１１０と、ゲーム処理部１２０と、歩数算出部１３０と、データ蓄積部１４０と、報知部１５０と、を備えている。
【００４２】
動作検出部１１０は、チャイルドシート２およびカート付属椅子３から着座者Ｐの動作に応じて変化する圧力値を取得する機能を有している。動作検出部１１０は、チャイルドシート２またはカート付属椅子３から圧力値を取得すると、取得した圧力値をゲーム処理部１２０および歩数算出部１３０に出力する。
【００４３】
ゲーム処理部１２０は、圧力値に基づいて、１００ｍ走ゲームを実行する機能を有している。例えばチャイルドシート２に座っている着座者Ｐが１００ｍ走ゲームを行う場合には、ゲーム処理部１２０は、チャイルドシート２における左右の圧力センサＰＳ３の圧力値Ｐ３Ｒ，Ｐ３Ｌを取得する。そして、そのときに座っている着座者Ｐの平均的な圧力であるノーマル圧力Ｐ３ｎと、圧力値のピーク検出のためのしきい値Ｐ３ｔｈを決定するとともに、その着座者Ｐの平均的な脚を動かす周期であるノーマルステップ周期ＴＳｎを算出する。
【００４４】
具体的には、着座者Ｐが脚を交互に上げた場合、圧力値Ｐ３Ｒ，Ｐ３Ｌは、例えば図４のように変化する。図４において、圧力が急に小さくなっている部分は、着座者Ｐが脚を上げたことにより、圧力センサＰＳ３の部分の圧力が小さくなっていることを示す。つまり、圧力が小さくなっていない１４０付近の圧力値が、脚を上げていないときの平均なノーマル圧力Ｐ３ｎとなる。ノーマル圧力Ｐ３ｎを算出するには、例えば、圧力値Ｐ３Ｒ，Ｐ３Ｌの前回値と今回値の差（今回値Ｐ３（ｎ）から前回値Ｐ３（ｎ−１）を引いた値とする。）の絶対値が所定値以下である場合（つまり、値の変化が小さいとき）の今回値を集計して平均すればよい。
【００４５】
また、しきい値Ｐ３ｔｈは、脚を上げている最中であることを判定するためのしきい値であり、例えば、図４の場合であれば、１００〜１２０程度の値を用いればよい。このため、しきい値Ｐ３ｔｈは、ノーマル圧力Ｐ３ｎに所定値を乗じた値を用いることができる。例えば、ノーマル圧力Ｐ３ｎに０．６〜０．９程度の所定値を乗じた値をしきい値Ｐ３ｔｈとすることができる。
【００４６】
ノーマルステップ周期ＴＳｎは、圧力値Ｐ３Ｒ，Ｐ３Ｌのピーク同士の時間間隔であるステップ周期ＴＳの平均値である。
圧力値Ｐ３Ｒ，Ｐ３Ｌは、各圧力値Ｐ３Ｒ，Ｐ３Ｌが、しきい値Ｐ３ｔｈより小さい（上側から下側へ超えた）という条件下で、前回値と今回値の差が負から正に変化したときにピークに達したと判定することができ、このときの前回値Ｐ３（ｎ−１）をピーク値Ｐｍとすることができる。
【００４７】
ゲーム処理部１２０は、着座者Ｐの動作に応じて圧力値Ｐ３Ｒ，Ｐ３Ｌのピークを検出すると、ピーク値Ｐｍを算出し、ピーク値Ｐｍとノーマル圧力Ｐ３ｎとに基づいて、脚を上げた大きさであるステップ強度Ｆ（ＦＲ，ＦＬ）を算出する。ステップ強度Ｆは、ピークの大きさ、つまり、ノーマル圧力Ｐ３ｎから、ピーク値Ｐｍを引いた値とすることができる。本実施形態においては、着座者Ｐの体格の大きさによる違いをなくすため、ノーマル圧力Ｐ３ｎで規格化した値とする。例えば、ステップ強度Ｆは、
Ｆ＝（Ｐ３ｎ−Ｐｍ）／Ｐ３ｎ
とする。
【００４８】
ゲーム処理部１２０は、１００ｍ走ゲーム中に、ステップ強度Ｆを算出すると、ディスプレイＤＳＰ上のキャラクタをゴールへ向けて移動させる。このときの移動量は、ステップ強度Ｆの大きさに応じたものである。スマートフォンＳＰは、例えば、Ｆ［ｍ］分だけゴールへ向けてキャラクタを移動させる。なお、カート付属椅子３から圧力値を取得する場合にも、ゲーム処理部１２０は、前述と同様の処理を行う。以下の説明では、チャイルドシート２から取得する圧力値を、「第１圧力値」とも称し、カート付属椅子３から取得する圧力値を、「第２圧力値」とも称する。
【００４９】
図３に戻って、歩数算出部１３０は、第１圧力値に基づいて、チャイルドシート２に座っている着座者Ｐの運動量である第１歩数を第１評価値として算出可能であるとともに、第２圧力値に基づいて、カート付属椅子３に座っている着座者Ｐの運動量である第２歩数を第２評価値として算出可能となっている。具体的には、例えば、歩数算出部１３０は、ゲーム処理部１２０が算出したピーク値Ｐｍの数を計測し、この数を歩数として取得する。歩数算出部１３０は、計測した歩数をデータ蓄積部１４０に出力する。
【００５０】
データ蓄積部１４０は、歩数算出部１３０から出力されてくる第１歩数と第２歩数とを、統合したデータとして蓄積する機能を有している。具体的に、歩数算出部１３０は、第１歩数と第２歩数とを積算する。また、本実施形態では、データ蓄積部１４０での歩数の蓄積は、１日ごとに更新されるものとする。つまり、本実施形態では、１日分のトータルの歩数が、データ蓄積部１４０に蓄積されている。
【００５１】
報知部１５０は、データ蓄積部１４０に蓄積されたデータを着座者Ｐに報知する機能を有している。具体的に、本実施形態では、報知部１５０は、データ蓄積部１４０に蓄積されたトータルの歩数を、ディスプレイＤＳＰ上に表示する。なお、報知部１５０による報知の方法は、これに限定されず、例えば音声などによって報知してもよい。
【００５２】
次に、スマートフォンＳＰ（詳しくは、スマートフォンＳＰ内の制御部）の動作について詳細に説明する。
スマートフォンＳＰは、着座者Ｐがシート用アプリを立ち上げると、図５に示す処理を開始する（ＳＴＡＲＴ）。この制御において、スマートフォンＳＰは、まず、チャイルドシート２またはカート付属椅子３と通信可能な状態であるか否かを判断する（Ｓ１１）。
【００５３】
ステップＳ１１において通信可能な状態でないと判断した場合には（Ｎｏ）、スマートフォンＳＰは、本処理を終了する。ステップＳ１１において通信可能な状態であると判断した場合には（Ｙｅｓ）、スマートフォンＳＰは、１００ｍ走ゲームのスタート画面（図６参照）をディスプレイＤＳＰ上に表示する（Ｓ１２）。
【００５４】
ステップＳ１２の後、スマートフォンＳＰは、１００ｍ走ゲームが選択されたか否かを判断する（Ｓ１３）。ステップＳ１３において１００ｍ走ゲームが選択されたと判断した場合には（Ｙｅｓ）、スマートフォンＳＰは、１００ｍ走ゲームを実行する（Ｓ１４）。
【００５５】
ステップＳ１４の後、詳しくは１００ｍ走ゲーム中において、スマートフォンＳＰは、圧力値に基づいて歩数を算出する（Ｓ１５）。ステップＳ１５の後、詳しくは１００ｍ走ゲームの終了後、スマートフォンＳＰは、今回の歩数をデータ蓄積部１４０に蓄積された過去の歩数に加算（統合）する（Ｓ１６）。
【００５６】
ステップＳ１６の後、スマートフォンＳＰは、統合した歩数をディスプレイＤＳＰ上に表示する（Ｓ１７）。ステップＳ１７の後、スマートフォンＳＰは、シート用アプリの終了が選択されたか否かを判断する（Ｓ１８）。
【００５７】
ステップＳ１８においてシート用アプリの終了が選択されていないと判断した場合には（Ｎｏ）、スマートフォンＳＰは、ステップＳ１２の処理に戻る。ステップＳ１８においてシート用アプリの終了が選択されたと判断した場合には（Ｙｅｓ）、スマートフォンＳＰは、本処理を終了する。
【００５８】
次に、スマートフォンＳＰの具体的な動作の一例を詳細に説明する。
図１に示すように、例えば車両ＣＲでスーパーマーケットに向かう際において、チャイルドシート２に座る着座者Ｐ（子供）が、暇つぶしのためにスマートフォンＳＰのシート用アプリを起動すると、図５の処理が開始される。スマートフォンＳＰがチャイルドシート２と通信可能な状態である場合には（Ｓ１１：Ｙｅｓ）、図６に示すように、スマートフォンＳＰのディスプレイＤＳＰ上に、１００ｍ走ゲームのスタート画面が表示される（Ｓ１２）。
【００５９】
スタート画面では、１００ｍ走ゲームを開始するためのボタンＢ１と、シート用アプリを終了するためのボタンＢ２とが表示されている。着座者ＰがボタンＢ１を選択すると、ステップＳ１３でＹｅｓと判断されて、１００ｍ走ゲームが実行される（Ｓ１４）。
【００６０】
１００ｍ走ゲームが終了すると、スマートフォンＳＰは、ゲーム１回分の歩数を算出して、データ蓄積部１４０に蓄積するとともに（Ｓ１５，Ｓ１６）、データ蓄積部１４０に蓄積されている今日１日分のトータルの歩数を、ディスプレイＤＳＰ上に表示する（Ｓ１７、図７参照）。車中において、着座者Ｐが１００ｍ走ゲームを複数回実行すると、ゲームの終了のたびに、ゲーム１回分の歩数が順次データ蓄積部１４０に蓄積されていく。
【００６１】
車両ＣＲがスーパーマーケットに到着して、着座者Ｐが図６に示すスタート画面において終了のボタンＢ２を選択すると、スマートフォンＳＰは、シート用アプリを終了する。スーパーマーケットでの買い物中において、ショッピングカートＳＨＣのカート付属椅子３に座らせられた着座者Ｐが、暇つぶしのためにスマートフォンＳＰのシート用アプリを再び起動すると、再び図５の処理が開始される。
【００６２】
スマートフォンＳＰがカート付属椅子３と通信可能な状態である場合には（Ｓ１１：Ｙｅｓ）、図６に示すように、スマートフォンＳＰのディスプレイＤＳＰ上に、１００ｍ走ゲームのスタート画面が表示される（Ｓ１２）。その後は、前述したように、着座者Ｐがゲームを実行するたびに、ゲーム１回分の歩数が順次データ蓄積部１４０に蓄積されていく。そのため、着座者Ｐは、車両ＣＲ内での歩数と、ショッピングカートＳＨＣ上での歩数とが加算されたトータルの歩数を知ることができるので、着座者Ｐがどの程度運動したのかを容易に知ることができる。また、着座者Ｐの親も、子供の１日分の歩数（運動量）を知ることができるので、その運動量を考慮して、その後の子供の活動のプランや食事のメニューなどを決めることができる。
【００６３】
以上、本実施形態のシートシステム１によれば、次の各効果を奏することができる。
圧力センサを有するシート（２，３）が様々な場所に設置されている環境下において、所定のシートに着座する着座者Ｐが、他のシートで得られた情報を利用することができる。
【００６４】
スマートフォンＳＰがデータ蓄積部１４０を有することで、後述するようなサーバが不要となるので、シートシステム１の構成を簡易化することができる。
【００６５】
着座者Ｐの運動量である歩数を評価値とするので、着座者Ｐが統合した歩数を参照することができ、着座者Ｐ自身の身体状態を把握することができる。
【００６６】
以上に本発明の実施形態について説明したが、本発明は、以下の他の形態に示すように、適宜変形して実施することが可能である。なお、以下の説明において、前記実施形態と略同様の構成には同一符号を付し、説明を省略する。
【００６７】
前記実施形態では、スマートフォンＳＰにデータ蓄積部１４０を設けたが、本発明はこれに限定されず、例えば、図８，９に示すように、スマートフォンＳＰと通信可能なサーバＳＶにデータ蓄積部４２０を設けてもよい。具体的に、図８に示す形態において、シートシステム１Ａは、前述したチャイルドシート２、カート付属椅子３およびスマートフォンＳＰに加え、サーバＳＶを備えている。
【００６８】
図９に示すように、スマートフォンＳＰは、前記実施形態におけるデータ蓄積部１４０の代わりに、送信部１６０および受信部１７０を備えている。送信部１６０は、歩数算出部１３０で算出したゲーム１回分の歩数を、着座者Ｐに対応した識別情報と関連付けてサーバＳＶに送信する機能を有している。受信部１７０は、サーバＳＶから送信されてくる、後述するトータルの歩数を受信し、受信したトータルの歩数を報知部１５０に出力する機能を有している。これにより、スマートフォンＳＰは、サーバＳＶで統合したデータ（トータルの歩数）をサーバＳＶから取得して、取得したデータを、着座者Ｐに報知するように構成されている。
【００６９】
サーバＳＶは、受信部４１０と、データ蓄積部４２０と、送信部４３０と、を備えている。受信部４１０は、スマートフォンＳＰから識別情報に関連付けられた歩数を受信する機能を有している。受信部４１０は、識別情報に関連付けられた歩数を受信すると、受信した歩数を識別情報とともにデータ蓄積部４２０に出力する。
【００７０】
データ蓄積部４２０は、受信部４１０から取得した歩数を識別情報ごとに積算して蓄積する機能を有している。送信部４３０は、データ蓄積部４２０に蓄積された、着座者Ｐに対応したトータルの歩数をスマートフォンＳＰに送信する機能を有している。
【００７１】
この形態では、スマートフォンＳＰが図１０に示す処理を実行し、サーバＳＶが図１１に示す処理を実行するように構成されている。図１０に示す処理は、図５に示す処理におけるステップＳ１６の代わりに、新たなステップＳ３１，Ｓ３２を有し、その他の処理は、図５の処理と同様となっている。
【００７２】
図１０に示す処理において、スマートフォンＳＰは、ステップＳ１５において歩数を算出した後、算出した歩数をサーバＳＶに送信する（Ｓ３１）。ステップＳ３１の後、スマートフォンＳＰは、サーバＳＶに対して統合データであるトータルの歩数を要求して取得し（Ｓ３２）、取得したトータルの歩数をディスプレイＤＳＰ上に表示する（Ｓ１７）。
【００７３】
図１１に示すように、サーバＳＶは、スマートフォンＳＰから歩数を取得したか否かを常時判断している（Ｓ４１）。ステップＳ４１において取得していないと判断した場合には（Ｎｏ）、サーバＳＶは、本処理を終了する。
【００７４】
ステップＳ４１において取得したと判断した場合には（Ｙｅｓ）、サーバＳＶは、取得した歩数をデータ蓄積部４２０に蓄積された過去の歩数に加算（統合）する（Ｓ４２）。ステップＳ４２の後、サーバＳＶは、スマートフォンＳＰから統合データ、つまりトータルの歩数の要求があるか否かを判断する（Ｓ４３）。
【００７５】
ステップＳ４３において要求なしと判断した場合には（Ｎｏ）、サーバＳＶは、本処理を終了する。ステップＳ４３において要求ありと判断した場合には（Ｙｅｓ）、サーバＳＶは、統合したトータルの歩数をスマートフォンＳＰに送信して（Ｓ４３）、本処理を終了する。
【００７６】
以上、この形態によれば、スマートフォンＳＰにデータ蓄積部を設ける必要がないので、スマートフォンＳＰの記憶容量を節約することができる。
【００７７】
サーバＳＶで統合したトータルの歩数をスマートフォンＳＰを介して着座者Ｐに報知するので、着座者Ｐがトータルの歩数を有効活用することができる。
【００７８】
前記実施形態では、統合データとしてのトータルの歩数をディスプレイＤＳＰ上に表示するだけであったが、本発明はこれに限定されず、統合データは様々な用途に活用することができる。例えば、トータルの歩数に基づいて活動のプランを決定してもよい。
【００７９】
具体的には、スマートフォンＳＰが、例えば、図１に示すシートシステム１において、図１２に示す処理を実行するように構成されていてもよい。図１２に示す処理は、図５に示す処理におけるステップＳ１７の代わりに、新たなステップＳ５１を有し、その他の処理は、図５の処理と同様となっている。
【００８０】
図１２に示す処理において、スマートフォンＳＰは、歩数をデータ蓄積部１４０に統合して蓄積した後（Ｓ１６）、統合したトータルの歩数に基づいて活動のプランを決定し、決定した活動のプランをディスプレイＤＳＰ上に表示する（Ｓ５１）。ここで、この形態では、活動のプランとして、１００ｍ走ゲームおよび休憩（シート用アプリの終了）を例示する。
【００８１】
ステップＳ５１において、スマートフォンＳＰは、トータルの歩数が所定歩数（例えば３０００歩）未満の場合には、着座者Ｐの運動量が足りないため、運動を促進するための活動のプラン、つまり１００ｍ走ゲームを推奨の活動プランとして提示する。詳しくは、図１３に示すように、スマートフォンＳＰは、ディスプレイＤＳＰ上において、１００ｍ走ゲームの実行を促すメッセージを表示するとともに、１００ｍゲームを実行するためのボタンＢ１を、休憩するためのボタンＢ２よりも大きく表示する。
【００８２】
ステップＳ５１において、スマートフォンＳＰは、トータルの歩数が所定歩数以上の場合には、着座者Ｐが運動（ゲーム）をやり過ぎている傾向にあるため、休憩、つまりシート用アプリの終了を推奨の活動プランとして提示する。詳しくは、図１４に示すように、スマートフォンＳＰは、ディスプレイＤＳＰ上において、休憩を促すメッセージを表示するとともに、休憩するためのボタンＢ２を、１００ｍゲームを実行するためのボタンＢ１よりも大きく表示する。
【００８３】
この形態によれば、トータルの歩数（統合したデータ）に基づいて活動のプランを着座者Ｐに提示するので、着座者Ｐの身体状態に適した活動のプランを着座者Ｐに提示することができる。また、着座者Ｐの親が、図１４に示す画面を見た場合には、子供が運動（ゲーム）をやり過ぎていることを知ることができるので、子供からスマートフォンＳＰを取り上げることができる。
【００８４】
前記実施形態では、着座者Ｐの身体状態の評価値（第１評価値、第２評価値）を、着座者Ｐの運動量（歩数）としたが、本発明はこれに限定されず、評価値は、例えば、体重や着座時間などであってもよい。例えば、評価値を体重とした場合、スマートフォンＳＰは、体重を測定するためのアプリ、詳しくは図１５に示す処理を、図１に示すシートシステム１において実行するように構成することができる。
【００８５】
図１５に示す処理は、図５に示す処理のステップＳ１１を有する他、新たなステップＳ６１〜Ｓ６７の処理を有している。図１５に示す処理において、スマートフォンＳＰは、ステップＳ１１において通信可能であると判断した場合には（Ｙｅｓ）、チャイルドシート２またはカート付属椅子３から圧力値を取得する（Ｓ６１）。
【００８６】
ステップＳ６１の後、スマートフォンＳＰは、圧力値に基づいて着座者Ｐの体重を算出する（Ｓ６２）。ステップＳ６２の後、スマートフォンＳＰは、データ蓄積部１４０に蓄積している体重の履歴を更新する（Ｓ６３）。詳しくは、ステップＳ６３において、スマートフォンＳＰは、今回算出した体重を日付と関連付けて、過去の体重と日付のデータとともにデータ蓄積部１４０に蓄積する。つまり、スマートフォンＳＰは、前記実施形態のように歩数を加算することでデータを統合するのではなく、体重と日付のデータを積み上げていくことでデータを統合している。
【００８７】
ステップＳ６３の後、スマートフォンＳＰは、アプリがアクティブ状態であるか否かを判断する（Ｓ６４）。ステップＳ６４においてアクティブ状態であると判断した場合には（Ｙｅｓ）、スマートフォンＳＰは、図１６に示すように、ディスプレイＤＳＰ全体に表示されているアプリ用の画面において、その日の体重と、過去（例えば今月）の体重の履歴を表示する（Ｓ６５）。
【００８８】
ステップＳ６４においてアクティブ状態でないと判断した場合には（Ｎｏ）、スマートフォンＳＰは、図１７に示すように、ホーム画面の一部に表示するメッセージ枠内において、今回算出した体重を通知する（Ｓ６６）。ステップＳ６５またはステップＳ６６の後、スマートフォンＳＰは、アプリの終了が選択されたか否かを判断する（Ｓ６７）。
【００８９】
ステップＳ６７において終了が選択されていないと判断した場合には（Ｎｏ）、スマートフォンＳＰは、ステップＳ６１の処理に戻る。ステップＳ６７において終了が選択されたと判断した場合には（Ｙｅｓ）、スマートフォンＳＰは、本処理を終了する。
【００９０】
この形態によれば、体重の履歴（統合したデータ）を着座者Ｐが知ることができるので、着座者Ｐが容易に体重管理を行うことができる。
【００９１】
なお、評価値を着座時間とした場合には、例えば着座時間に基づいて、広告、お勧めのアプリ、健康アドバイスなどを着座者Ｐに提示することができる。例えば、着座時間が所定時間以上である場合には、喉が渇いていると判断して、飲料品の広告を着座者Ｐに提示することができる。なお、着座時間は、圧力値が所定閾値以上になってからの経過時間として算出すればよい。
【００９２】
前記実施形態では、着座者の身体状態を検出するための第１情報および第２情報として圧力値を例示したが、本発明はこれに限定されず、第１情報および第２情報は、例えば、体温や発汗量に対応する電流値などであってもよい。なお、センサは、これらの情報を検出可能なセンサであればよい。また、例えば、第１情報・第２情報を発汗量に対応する電流値とした場合には、評価値は、電流値から算出する発汗量とし、過去から現在までの発汗量と日付のデータを、統合したデータとして蓄積すればよい。
【００９３】
また、シートシステムを構成するシートの数は、２つに限らず、３つ以上であってもよい。また、シートは、船舶や航空機などの他の乗物に設置されるシートであってもよいし、自宅や公共施設などに設置される椅子や座椅子などであってもよい。
【００９４】
前記実施形態では、シートクッションのみにセンサを設けたが、本発明はこれに限定されず、例えば、シートクッションとシートバックの両方にセンサを設けてもよいし、シートバックのみにセンサを設けてもよい。
【００９５】
前記実施形態では、第１センサおよび第２センサとして圧力センサを例示したが、本発明はこれに限定されず、第１センサおよび第２センサは、例えば光センサなどであってもよい。この場合、光センサで光が検知されたか否かの情報を第１情報・第２情報とし、この第１情報・第２情報に基づいて歩数などを算出してもよい。
【００９６】
前記実施形態では、携帯端末としてスマートフォンＳＰを例示したが、本発明はこれに限定されず、携帯端末は、例えばタブレットなどのスマートフォンＳＰ以外の携帯端末であってもよい。
【００９７】
前記した実施形態および変形例で説明した各要素を、任意に組み合わせて実施してもよい。
【符号の説明】
【００９８】
１      シートシステム
２      チャイルドシート
３      カート付属椅子
２０    第１シート本体
３０    第２シート本体
１４０  データ蓄積部
Ｐ      着座者
ＳＰ    スマートフォン
【図１】
2020083213.tif 000003
【図２】
2020083213.tif 000004
【図３】
2020083213.tif 000005
【図４】
2020083213.tif 000006
【図５】
2020083213.tif 000007
【図６】
2020083213.tif 000008
【図７】
2020083213.tif 000009
【図８】
2020083213.tif 000010
【図９】
2020083213.tif 000011
【図１０】
2020083213.tif 000012
【図１１】
2020083213.tif 000013
【図１２】
2020083213.tif 000014
【図１３】
2020083213.tif 000015
【図１４】
2020083213.tif 000016
【図１５】
2020083213.tif 000017
【図１６】
2020083213.tif 000018
【図１７】
2020083213.tif 000019